(57)【要約】【目的】光軸を制御するための反射板を複雑な機構なしに筐体の動きに合わせて動かすことにより、撮影方向の切り替えを行い、且つ、本体の姿勢を監視することで、自動的に撮像方向にあったモードを選択することを実現することができる携帯端末装置を提供すること。【構成】被写体を撮影するための撮像手段と、画像やその他の情報を表示するための表示手段を備えた携帯端末装置において、その携帯端末装置の状態により撮影方向の切り替えを行う。ここで、筐体が折り畳めるように、ヒンジ機構により結合されている。又、筐体の一方にカメラが設置され、他方に反射板が設置されている。【選択図】      図１
2004312237.tif 000002
【特許請求の範囲】
【請求項１】
被写体を撮影するための撮像手段と、画像やその他の情報を表示するための表示手段を備えた携帯端末装置において、
その携帯端末装置の状態により撮影方向の切り替えを行うことを特徴とする携帯端末装置。
【請求項２】
筐体が折り畳めるように、ヒンジ機構により結合されていることを特徴とする請求項１記載の携帯端末装置。
【請求項３】
筐体の一方にカメラが設置され、他方に反射板が設置されていることを特徴とする請求項１又は２記載の携帯端末装置。
【請求項４】
携帯端末装置がある設定された状態になったとき、撮像部の光軸上に反射板が配置されるような構造であることを特徴とする請求項１〜３の何れかに記載の携帯端末装置。
【請求項５】
或る一定の角度を反射板に設けることにより光軸を変え、撮影方向を変えることができることを特徴とする請求項４記載の携帯端末装置。
【請求項６】
撮影時自分撮りと相手撮りの少なくとも２つの状態を持つことを特徴とする請求項１〜５の何れかに記載の携帯端末装置。
【発明の詳細な説明】
【０００１】
【発明の属する技術分野】
本発明は、携帯端末装置に関するものである。
【０００２】
【従来の技術】
ＣＣＤ等の撮像素子により被写体を撮影できる電子スチルカメラやビデオカメラといった撮像装置がある。このような撮影装置を用いた一例として、カメラ機能を持った携帯電話が挙げられる。携帯電話にカメラ機能が付くことにより、携帯電話を撮影した画像を送る通信手段として利用できるので、特別な通信手段を有する装置を使うことなく、又、常に携帯するものであるので、気軽に撮影し、第三者に送ることが容易である。又、このようなカメラ付携帯電話にはズーム機能が搭載されるようになり、携帯端末の使用範囲が広がりつつある。
【０００３】
【発明が解決しようとする課題】
しかしながら、従来の携帯電話において、ズーム機能がついたレンズは形状が大きくなり、自分撮りや相手取りを使い分けるといった撮影方向を切り替える際に、小型の携帯端末に配置するにはレイアウト上困難であり、それを回避するためにカメラ自体に回転機構を設けたり、特開２００１−２２３９２４や特開平１０−１０８１５２号のように（液晶）シャッター、ハーフミラー又はプリズムを組み合わせて使って光軸を制御して、その撮影方向を変えたりしていた。これらの方法はコストも掛かり、機構も煩雑になり易い。
【０００４】
本発明は上記問題に鑑みてなされたもので、その目的とする処は、光軸を制御するための反射板を複雑な機構なしに筐体の動きに合わせて動かすことにより、撮影方向の切り替えを行い、且つ、本体の姿勢を監視することで、自動的に撮像方向にあったモードを選択することを実現することができる携帯端末装置を提供することにある。
【０００５】
【課題を解決するための手段】
上記目的を達成するため、請求項１記載の発明において、被写体を撮影するための撮像手段と、画像やその他の情報を表示するための表示手段を備えた携帯端末装置において、その携帯端末装置の状態により撮影方向の切り替えを行うことを特徴とする。
【０００６】
請求項２記載の発明は、請求項１記載の発明において、筐体が折り畳めるように、ヒンジ機構により結合されていることを特徴とする。
【０００７】
請求項３記載の発明は、請求項１又は２記載の発明において、筐体の一方にカメラが設置され、他方に反射板が設置されていることを特徴とする。
【０００８】
請求項４記載の発明は、請求項１〜３の何れかに記載の発明において、携帯端末装置がある設定された状態になったとき、撮像部の光軸上に反射板が配置されるような構造であることを特徴とする。
【０００９】
請求項５記載の発明は、請求項４記載の発明において、或る一定の角度を反射板に設けることにより光軸を変え、撮影方向を変えることができることを特徴とする。
【００１０】
請求項６記載の発明は、請求項１〜５の何れかに記載の発明において、撮影時自分撮りと相手撮りの少なくとも２つの状態を持つことを特徴とする。
【００１１】
【発明の実施の形態】
以下に本発明の実施の形態を添付図面に基づいて説明する。
【００１２】
［相手撮りモード］
図１は折り畳み式の携帯端末１を９０度（若しくは或る一定の設定）開いた状態の斜視図である。図１において、２はモニタ８が設置された筐体部、３はテンキー１１が配置された筐体部、１０は筐体２と筐体３を接続しているヒンジ部である。
【００１３】
１２はマイク、５はスピーカーであり、通常の電話をする場合は、筐体３のマイク１２で音を取り込み、筐体２にあるスピーカー５により相手の音声を聞き取るためのそれぞれ送話口及び受話口になる。８は画像やその他の情報を表示するためのモニタ、６は筐体３に設けられたカメラであり、カメラ６を通して撮影される像は不指示の撮像素子や信号処理等を経て画像信号として出力される。
【００１４】
筐体３に設けられたカメラ６の光軸は、撮影者がモニタ８を見る方向に向いており、モニタ８で撮像物を確認しながら取れるようになっている。
【００１５】
図２はカメラ６部周辺の拡大図であるが、７は筐体２にあけられた貫通穴であり、その内部にはミラー９が４５度の角度（又は或る設定された角度）で固定されており、筐体２の動きに連動して動く。
【００１６】
カメラ６を向けた側には何の障害物がないので、カメラの向いてる方向の像を撮影することができる。又、カメラ６が設置されている側にマイクや発光物を設けておくと良い。
【００１７】
［自分撮りモード］
図３は折り畳み式の携帯端末１を１８０度（若しくは或る一定の設定角度）に開いた状態の斜視図である。
【００１８】
この図３において、筐体３に設けられたカメラ６の前に筐体２が回転してきてカメラの前を塞ぐような格好になるが、カメラ６の光軸上に予め筐体２に開けられた貫通穴７が位置するようになっている。
【００１９】
図４に示すように、その内部にミラー９を４５度（若しくは或る一定の設定角度）に設置することにより、光軸が曲げられ、カメラ６はモニタ８側を撮影するような形になり、撮影者はモニタ８を見て確認をしながら撮影することが可能である。
【００２０】
［通常使用モード］
図５は携帯端末１を本来の使用目的で使うときである。
【００２１】
それぞれのモードは、図示していない検知装置で姿勢を検知することにより自動的に相手取りモード、自分撮りモード、そして通常使用モード等それぞれの形状において適切なモードに切り替るようになっている。
【００２２】
又、ヒンジ部１０もそれぞれのモードにおいてクリック力（若しくは何らかのモードの位置を知らせる装置）を付け、使用者がその角度を意識することなく使用できるようにしておいても良い。
【００２３】
更に、通話中に撮影する必要性が出た場合、通話しながらそれぞれのモードの形状にすることにより、テレビ電話機能を作動させると便利である。
【００２４】
【発明の効果】
以上説明したように、本発明によれば、ヒンジを有する携帯端末において、固定されたカメラとヒンジに連動してカメラとの相対位置を変えるミラーを設置することによって、カメラに煩雑な回転機構や光軸の切り替え機構を設けることなく相手撮りと撮影者撮りの両方を実現することができ、撮影可能な範囲が広がり、又、煩雑な機構を持たないことにより、故障の要素も減り、コストダウンを図ることができる。
【図面の簡単な説明】
【図１】本発明の実施の形態に係る一軸ヒンジ機構を持った携帯電話において携帯電話を９０度開いた状態の斜視図である。
【図２】本発明の実施の形態に係る一軸ヒンジ機構を持った携帯電話において図１の携帯電話におけるカメラとミラーの関係を示す図である。
【図３】本発明の実施の形態に係る一軸ヒンジ機構を持った携帯電話において携帯電話を１８０度開いた状態の斜視図である。
【図４】本発明の実施の形態に係る一軸ヒンジ機構を持った携帯電話において図３の携帯電話におけるカメラとミラーの関係を示す図である。
【図５】本発明の実施の形態に係る一軸ヒンジ機構を持った携帯電話において携帯電話を通常の使用をしているときの状態を示す斜視図である。
【符号の説明】
１      携帯電話本体
２      筐体（モニタ設置側）
３      筐体（テンキー設置側）
４      アンテナ
５      スピーカー部
６      カメラ
７      貫通穴
８      モニタ
９      ミラー
１０      ヒンジ部
１１      テンキー部
１２      マイク
【図１】
2004312237.tif 000003
【図２】
2004312237.tif 000004
【図３】
2004312237.tif 000005
【図４】
2004312237.tif 000006
【図５】
2004312237.tif 000007